(57)【要約】      （修正有）【課題】水切り、泥落とし、除塵等の効果向上を図るとともに対象物の大きさの変化に対応可能な手持ち式エア吹付ガンを提供する。【解決手段】手持ち式エア吹付ガンの先端に取り付けた軟質チューブの振幅をスイング調整ガイドの位置決め調整により可変とし、該位置決め調整は手動で簡便にスライド調整できる構造とした。エア吹付ガンの先端に首振り可能なチューブの装着をしたことにより自動的にエア吹付圧に強弱を付けてエア吹き出し方向を変化させることができるので、水切り、泥落とし、除塵等の効果を高めることができる。広範囲な方向に流体を噴射することに加え、ガンを片手操作しながらもう一方の手でスイング調整ガイドが調整可能なので簡単に素早くチューブの振れ幅を変化させることができ、様々な大きさの品物に対応可能とすることができる。【選択図】図１
0003157006.tif 000002
【実用新案登録請求の範囲】
【請求項１】
空気取入口１と、これと連通し引き金４の作動により開閉する空気バルブ３を備えたエア吹付ガンの空気出口部５の前方に首振り可能なスイングチューブ８が着脱容易に取り付けられ且つ該チューブの振れを規制するチューブガイド１４と該チューブの振れ幅を変化可能にするスイング調整ガイド１０が設けられたエア吹付けガンにおいて、前記スイング調整ガイド１０はガン本体２の空気出口部５の軸心に略平行に設けたスライド軸１３を移動し、前記チューブ８の首振り中心位置を調整可能とすることを特徴としたエア吹付けガン。
【請求項２】
前記スイング調整ガイド１０とスライド軸１３との接触部に弾性体のパッキン１１を付設した請求項1記載のエア吹付けガン。
【考案の詳細な説明】
【技術分野】
【０００１】
本考案は、エア吹付けガンに関するものであり、圧縮エアを吹付けることで塗装前の被塗物表面に付着した塵埃を吹き飛ばして除去したり、機械加工等による切粉の除去および洗浄後の水切り乾燥等に用いられるものである。
【背景技術】
【０００２】
被清掃対象物に付着した塵埃の清掃は、圧縮空気を噴出するエア吹付ガンを使用し、エア吹付ガンにエア吹付ガン用フレキシブルノズルを取付け、エア吹付ガン用フレキシブルノズルの先端から噴射される圧縮空気により被清掃対象物に付着した塵埃を吹き飛ばして除去清掃を行なっている。
【０００３】
そして、広範囲な方向に流体を噴霧するためには、ノズル数等を増やすか又はリンク、カム等により機械的な外力を与え噴射口を強制的に変える方法と、手に頼ってエア吹付ガンを振ることにより圧力の強弱を付け方向転換を行なう方法によっていた。
【０００４】
しかし、従来の方法は、噴射される流体の流量の増加が必要であったり、付帯的な設備や機構が必要であったり、空間が多く必要であったりしなければならずコスト高になってしまうという問題があった。
【０００５】
このため広範囲な方向に流体を噴霧するための手段として、エアや液体を吹付けるガンの先端にナイロン等の合成樹脂チューブを取り付け、首振りさせることにより噴射効果を高め効率よく洗浄や水切り乾燥等が行なわれていた。（特許文献１参照）
【０００６】
さらに合成樹脂チューブの振れ幅を規制するガイドを設け、噴射口が向いた方向への流体の噴射を均一にさせることで噴射効果を高め、流体の噴射量を低く抑えることが行なわれていた。（特許文献２参照）
【先行技術文献】
【特許文献】
【０００７】
【特許文献１】特開平１−１０４３６２号公報
【特許文献２】実開昭６３−３５４５３号公報
【考案の概要】
【考案が解決しようとする課題】
【０００８】
ところが、このような方法は、少ない流体噴射量で洗浄や除塵効果を高めることは可能であるが、合成樹脂チューブの振れ幅が固定されるため、水切り、泥落とし、除塵等の対象物の大きさの変化に対応させることは難しい。また、振れ幅調整可能なものも散見されるがボルト締めによる固定のため締め付け工具を必要とし手先での容易な調整はできなかった。
【０００９】
本考案は、かかる不都合を解消して、水切り、泥落とし、除塵等の効果向上を図るとともに対象物の大きさの変化に対応可能な手持ち式エア吹付ガンを提供することを目的とする。
【課題を解決するための手段】
【００１０】
かかる目的を達成するために、本考案は、エア吹付ガンの先端に取付けた左右に首振り可能な軟質チューブを着脱容易に取り付け、さらにスイング調整ガイドを取り付けることによりチューブの振れ幅を変化可能とした。スイング調節ガイドにはスイングによる振動等では位置がずれないが手先で調整できる程度の抵抗を有するパッキンを付設した。
【考案の効果】
【００１１】
本考案に係わるエア吹付ガンによれば、エア吹付ガンの先端に首振り可能なチューブの装着をしたことにより自動的にエア吹付圧に強弱を付けてエア吹き出し方向を変化させることができるので水切り、泥落とし、除塵等の効果を高めることができる。
【００１２】
広範囲な方向に流体を噴射することに加え、ガンを片手操作しながらもう一方の手でスイング調整ガイドが調整可能なので簡単に素早くチューブの振れ幅を変化させることができ、様々な品物の大きさに対応可能とすることができる。さらにチューブを着脱容易に取り付けられるので故障した際もチューブの交換を素早く行なうことができる。このように単純な構成からなるエア吹付ガンのため、安価に製作できるのでコスト削減となる。
【図面の簡単な説明】
【００１３】
【図１】本考案の一実施例を示す正面図
【図２】本考案の一実施例を示す平面図
【図３】本考案の一実施例を示す左側面図
【図４】本考案の一実施例を斜め後方より見た斜視図
【考案を実施するための形態】
【００１４】
以下、図面に示す実施例により、本考案を詳細に説明する。図１の実施例において１はコンプレッサ（図示せず）からの圧縮空気を吹き付けるエア吹付けガンの空気取入口である。ガンの引き金４を引くとガン本体２に内蔵された空気バルブ３が開き、圧縮空気は空気出口部５に至る。この種のエア吹付けガンは一般によく知られる構成を持つもので特に限定されるものではない。
【００１５】
空気出口部５にはアダプター６を介してワンタッチユニオン７が取り付けられ、100〜200ｍｍほど前方に伸びる中空の軟質チューブ８が手で容易に着脱できるようになっている。ワンタッチユニオン７は市販されるもので、チューブを差し込むだけで抜けなくなり、抜く時はワンタッチユニオンの差し込み口を指先で押し込みながらチューブを引き抜くものであるが詳細は省略する。圧縮空気はこの軟質チューブ８の先端に取り付けられた先端ガード９から噴出され、管状の噴射口より噴出する圧縮空気の反力と軟質チューブ８の保有する弾性復元力を利用して共振を起こさせ、チューブ先端が首振り運動をするようになっている。
【００１６】
先端ガード９は噴出口の穴径が容易に変形しないように先端を保護するため軟質チューブよりは硬めの樹脂を用いたほうが良い。また先端ガード９は軟質チューブ８を差し込むだけで簡単に組立て可能で、先端の保護と同時に首振りが効率よく起こるおもりとして設定されている。
【００１７】
首振りの角度は軟質チューブ８の材質や圧縮空気の圧力により変化するが首振りの中心位置を変えてやることでも可能で、本考案実施例のようにチューブを穴に通し、そのわずかな隙間でチューブの動きを規制することで、そこを中心として首振りを起こさせる。
【００１８】
首振りの中心位置を変えるスイング調節ガイド１０は、おおむね背の低い円柱形状を呈し、軟質チューブ８を通す穴が円柱の軸方向と平行に空いている。またスイング調節ガイド１０は、空気出口部５の軸心と略平行にアダプター６から延出された２本のスライド軸１３に沿って移動可能で、２本のスライド軸１３に支えられるように溝１２が切られている。
【００１９】
スイング調節ガイド１０の溝１２にはスイングによる振動等で位置がずれないように円環状の固定用のパッキン１１が巻きつけられている。このパッキン１１は輪ゴムのような弾性体で２本のスライド軸１３と常に接触しているのでスイング調節ガイド１０の移動に対しては抵抗となっている。
【００２０】
スライド軸１３の先端部は陸上競技場のトラックを横に引き伸ばしたような略楕円形状をしたチューブガイド１４に形状が変化している。このチューブガイド１４によりチューブが暴れないよう動きが規制されるようになっている。本考案の実施例ではスライド軸１３とチューブガイド１４が一本の丸いワイヤーを変形させた一体構造になっており低コスト化が望める。
【００２１】
更に、アダプター６に穿設した丸穴にスライド軸１３の丸棒部分を差し込んで固定するが、容易に取り外しができるようになっているのでパッケージングの際には、軟質チューブ８も取り外せるのでコンパクトに収納できるようになっている。よって輸送費や個装箱代の低コスト化が望める。
【符号の説明】
【００２２】
１    空気取入口
２    ガン本体
３    空気弁
４    引金
５    空気出口部
６    アダプター
７    ワンタッチユニオン
８    軟質チューブ
９    先端ガード
１０  スイング調整ガイド
１１  パッキン
１２  溝
１３  スライド軸
１４  チューブガイド
【図１】
0003157006.tif 000003
【図２】
0003157006.tif 000004
【図３】
0003157006.tif 000005
【図４】
0003157006.tif 000006